(57)【要約】【課題】撮影者の判断によらずに被写体の動態と再生音の再生との間のタイミング調整が存在すること。【解決手段】カメラ５と、スピーカ４と、カメラ５による撮影のタイミングを制御する制御器２とから構成されている。制御器２は、デジタル音波データ１３を記録している蓄音器１２と、蓄音器１２の中のデジタル音波データ１３の一部分として存在する撮影指示信号１１を抽出する抽出器８とから形成されている。スピーカ４はデジタル音波データ１３に対応するアナログ音波データに時系列に変換する。制御器２は、アナログ音波データ１３のその時系列のうち撮影指示信号１１に対応する時系列部分でカメラ５に撮影を指示する。撮影者の判断によらずに被写体の動態と再生音の再生との間のタイミングの調整が自動化される。【選択図】          図１
2005115095.tif 000002
【特許請求の範囲】
【請求項１】
カメラと、
スピーカと、
前記カメラによる撮影のタイミングを制御する制御器とを構成し、
前記制御器は、
デジタル音波データを記録している蓄音器と、
前記蓄音器の中のデジタル音波データの一部分として存在し、又は、前記デジタル音波データに挿入されている撮影指示信号を抽出する抽出器とを形成し、
前記スピーカは前記デジタル音波データに対応するアナログ音波データを時系列に出力し、
前記制御器は、前記アナログ音波データの前記時系列のうち前記撮影指示信号に対応する時系列部分で前記カメラに撮影を指示する
写真撮影装置。
【請求項２】
前記撮影指示信号を抽出する時点に対して前記撮影を指示する時点は遅延する
請求項１の写真撮影装置。
【請求項３】
前記撮影指示信号を抽出する時点は前記撮影を指示する時点に概ね一致している
請求項１の写真撮影装置。
【請求項４】
前記撮影指示信号は、デジタル音波データの一部分である物理的特徴部分であり、前記物理的特徴部分は、周波数の特徴部分又は振幅の強弱の特徴部分から選択される１又は複数の特徴部分である
請求項１の写真撮影装置。
【請求項５】
前記撮影指示信号は、デジタル音波データの中に挿入される非物理的信号であり、前記非物理的信号は前記デジタル音波データの物理的特徴部分の近傍に挿入され、前記物理的特徴部分は、周波数の特徴部分又は振幅の強弱の特徴部分から選択される１又は複数の特徴部分である
請求項１の写真撮影装置。
【請求項６】
前記物理的特徴部分は、被写体の心理に顕著に影響を与える部分である
請求項４又は５の写真撮影装置。
【請求項７】
前記物理的特徴部分は動物の声である
請求項４又は５の写真撮影装置。
【請求項８】
ボックスを更に構成し、
前記カメラと前記スピーカは前記ボックスに固定され、前記制御器は前記ボックスに内蔵されている
請求項５の写真撮影装置。
【請求項９】
前記制御器は前記カメラに内蔵され、前記スピーカは前記カメラに固定されている
請求項１の写真撮影装置。
【請求項１０】
前記撮影はフラッシュ発光を伴う
請求項１〜９から選択される１請求項の写真撮影装置。
【請求項１１】
前記カメラにより撮影される写真データを印刷出力するプリンタ
を更に構成する
請求項１〜１０から選択される１請求項の写真撮影装置。
【請求項１２】
外部記憶媒体を更に構成し、
前記外部記憶媒体は、前記カメラにより撮影される写真データを記録する
請求項１〜１０から選択される１請求項の写真撮影装置。
【請求項１３】
画像処理器を更に構成し、
前記画像処理器は、前記カメラにより撮影される写真データを処理する
請求項１〜１０から選択される１請求項の写真撮影装置。
【請求項１４】
前記カメラにより撮影される写真データは、ネットワークに対して送受信が可能である
請求項１〜１０から選択される１請求項の写真撮影装置。
【請求項１５】
音波データを第１時系列に生成するステップと、
前記音波データに対応するアナログ音を第２時系列にスピーカを介して被写体に向けて発生させるステップと、
前記第２時系列のうち前記音波データの一部に対応する時点でカメラに撮影を指示する撮影指示信号を生成するステップ
とを構成する写真撮影方法。
【請求項１６】
前記第１時系列は前記第２時系列に時間的に概ね一致している
請求項１５の写真撮影方法。
【請求項１７】
前記音波データの一部を前記撮影指示信号に変換するステップ
を更に構成する請求項１５の写真撮影方法。
【発明の詳細な説明】
【技術分野】
【０００１】
本発明は、写真撮影装置、及び、写真撮影方法に関し、特に、音声を発生し音声と被写体の間のコミュニケーションが円滑である写真撮影装置、及び、写真撮影方法に関する。
【背景技術】
【０００２】
写真撮影では、被写体特に人のダイナミックな動態の一瞬が撮影されることが望まれる。カメラ撮影の瞬間に発生するシャッタ音は、撮影モード動態の被写体を撮影完了後の自然動態に戻すことができる動態切換信号として機能している。そのようなシャッタ音を発しない電子スチルカメラでは、被写体に動態モード切換を促す事ができない。後掲特許文献１は、静止画撮影操作に連動してシャッタ相当音を発生する技術を開示している。後掲特許文献２の技術は、撮影モード選択機能と、被写体が興味を引く音声情報の記憶機能と、撮影動作に同期して音声情報に対応する音声を生成する音声再生機能を有していて、撮影時に小さな子ども又はペットに対して興味を引きつけることを可能にしている。このような公知技術は、音声再生と撮影との間に時間的関係がなく、再生音声に反応する被写体と撮影とのタイミング調整は、撮影者の判断にまかされている。
【０００３】
撮影者の判断によらずに被写体の動態と再生音の再生との間のタイミング調整が存在することが求められる。
【０００４】
【特許文献１】特開平７−１７７４０４号
【特許文献２】特開２０００−１０７８０７号
【発明の開示】
【発明が解決しようとする課題】
【０００５】
本発明の課題は、撮影者の判断によらずに被写体の動態と再生音の再生との間のタイミング調整が存在する写真撮影装置、及び、写真撮影方法を提供することにある。
【課題を解決するための手段】
【０００６】
本発明による写真撮影装置は、カメラ（５）と、スピーカ（４）と、カメラ（５）による撮影のタイミングを制御する制御器（２）とから構成されている。制御器（２）は、デジタル音波データ（１３）を記録している蓄音器（１２）と、蓄音器（１２）の中のデジタル音波データ（１３）の一部分として存在し、又は、デジタル音波データ（１３）に挿入されている撮影指示信号（１１）を抽出する抽出器（８）とから形成されている。スピーカ（４）はデジタル音波データ（１３）に対応するアナログ音波データに時系列に変換する。制御器（２）は、アナログ音波データ（１３）のその時系列のうち撮影指示信号（１１）に対応する時系列部分でカメラ（５）に撮影を指示する。
【０００７】
例えば、ゆっくりしたて静かである楽曲の中で突然に大きい音に変化する物理的特徴部分は、ここでいわれる撮影指示信号（１１）に対応する。今の例では、人が驚く様子の顔の写真を絶妙のタイミングで撮影することができる。撮影者の判断によらずに被写体の動態と再生音の再生との間のタイミングの調整が自動化され、素人の撮影又は機械式自動撮影でプロ的描写が可能である。
【０００８】
撮影指示信号（１１）を抽出する時点に対して撮影を指示する時点が遅延することは有意義である。人又は動物は、外部の物理的環境に遅延してその表情を変える。撮影指示信号（１１）を抽出する時点は、撮影を指示する時点に概ね一致していることは他の面で有意義である。人又は動物は、外部の物理的環境に遅延せずに瞬間的にその表情を変える。
【０００９】
撮影指示信号（１１）は、デジタル音波データの一部分である物理的特徴部分であることが好ましい。その物理的特徴部分は、周波数の特徴部分又は強弱の特徴部分から選択される１又は複数の特徴部分である。物理的特徴部分としては、音量の急変、テンポ又はリズムの急変、高低の急変、曲想の急変、自然音の性質の急変が好適に例示される。
【００１０】
撮影指示信号（１１）は、デジタル音波データ（１３）の中に挿入される非物理的信号であり得る。非物理的信号はデジタル音波データ（１３）の物理的特徴部分の近傍に挿入され得る。その物理的特徴部分は、周波数の特徴部分又は強弱の特徴部分から選択される１又は複数の特徴部分である。デジタル音波データ（１３）が楽曲である場合には、そのメロディーの音量急変部位の近傍、特に、その音量急変部位の直後にその非物理的信号が挿入される。このような非物理的信号の挿入は、デジタル音波データ（１３）の物理的特徴の分析を不要にする。物理的特徴部分は、被写体の心理に顕著に影響を与える部分であり、このような部分は経験則的に知られ、又は、プロの音楽家又はプロの音生成作家に依頼して創作的に得られ、モニターテストで知られ得る。
【００１１】
物理的特徴部分として幼児の興味を引く動物の声が用いられ、撮影を困難にする幼児の本来の特性を引き出して記念に残る写真の撮影が可能である。音声同期撮影は、フラッシュ発光を伴い、劇的な一瞬の映像を鮮明にする。
【００１２】
ボックス（１）が提供される。カメラ（５）とスピーカ（４）はボックス（１）に固定され、全体が一体化され、全体の移動が容易である。制御器（２）はボックス（１）に内蔵されている。制御器（２）はカメラ（５）に内蔵される。カメラ（５）の筐体がボックス（１）に一致することは有益であり、この場合には、制御器（２）はカメラに内蔵され、スピーカ（４）はカメラの筐体に固定され、カメラは、音声発生器つきカメラとして提供される。この場合に、音声発生器つきカメラは、カメラ付き携帯電話器として機能する。
【００１３】
本発明による写真撮影方法は、音波データを第１時系列に生成するステップと、音波データに対応するアナログ音を第２時系列にスピーカを介して被写体に向けて発生させるステップと、第２時系列のうち音波データの一部に対応する時点でカメラに撮影を指示する撮影指示信号を生成するステップとから構成されている。第１時系列は第２時系列に時間的に概ね一致しているが、遅延的であり得る。音波データの一部を撮影指示信号に変換するステップは有効である。
【発明の効果】
【００１４】
本発明による写真撮影装置、及び、写真撮影方法は、撮影者の判断によらずに被写体の動態と再生音の再生との間のタイミング調整が自動的に存在する。
【発明を実施するための最良の形態】
【００１５】
本発明による写真撮影装置の実現態は、図に対応して、具体的に詳細に記述される。その実現態は、図１に示されるように、ボックス１にパーソナルコンピュータ２と写真撮影機器３とが備えられている。パーソナルコンピュータ２は、ボックス１の中に据え付けられている。写真撮影機器３は、スピーカ４とカメラ５とから形成されている。ボックス１は被写体Ｍに対向していて、特に、被写体Ｍはカメラ５の光軸を含む立体角度範囲に存在する。パーソナルコンピュータ２は、第１接続線６と第２接続線７とを介してスピーカ４とカメラ５とに接続している。
【００１６】
パーソナルコンピュータ２は、図２に示されるように、撮影指示信号生成器８と音増幅器９とを備えている。撮影指示信号生成器８は、撮影指示信号（撮影トリガー信号）１１を生成する。撮影指示信号１１はカメラ５に入力され、カメラ５は撮影指示信号１１に時間的に対応して同期的に撮影を実行し、特には、撮影指示信号１１の受信に対して同時的に撮影を実行する。
【００１７】
パーソナルコンピュータ２は、撮影誘導音蓄音器１２を備えている。撮影誘導音蓄音器１２は、撮影誘導音１３を蓄積している。撮影誘導音１３は、人の音声、動物の音声、音楽のメロディー、強弱変動音、自然音のような多様な音波データを含み、第１種撮影誘導音１４と第２種撮影誘導音１５とから形成されている。第１種撮影誘導音１４は、撮影指示信号１１にデータ的に対応する撮影指示信号対応デジタルデータとして形成されている。第２種撮影誘導音１５は、撮影指示信号対応デジタルデータを含まず、撮影開始前に被写体Ｍを心理的に誘導する心理的誘導音として形成されている。自然音としては、谷川のせせらぎ音、鳥の鳴き声のように被写体Ｍの心理状態を安定化する音情報が含まれる。人の音声は、”笑って”、”はい、チーズ”のような直接的誘導音が含まれる。動物音には、幼児に興味を持たせて幼児の視線をカメラレンズの方に向けるライオンの吠声のような動物発生音が含まれる。
【００１８】
パーソナルコンピュータ２は、ＣＰＵ１６を備えている。ＣＰＵ１６は、第１種撮影誘導音１４の中から１つ又は複数の第１種特定誘導音１４’を選択し、第２種撮影誘導音１５の中から１つ又は複数の第２種特定誘導音１５’を選択し、第１種特定誘導音１４’と第２種特定誘導音１５’を出力する誘導音選択機能を有している。ＣＰＵ１６は、第１種特定誘導音１４’と第２種特定誘導音１５’とを時系列的に組み合わせて出力する。パーソナルコンピュータ２は、Ｄ／Ａコンバータ１７を備えている。Ｄ／Ａコンバータ１７は、デジタル音声データである第１種特定誘導音１４’を第１種撮影誘導アナログ音１４”に変換し、デジタル音声データである第２種特定誘導音１５’を第２種撮影誘導アナログ音１５”に変換する変換機能を有している。第１種撮影誘導アナログ音１４”と第２種撮影誘導アナログ音１５”は、ともに撮影指示信号生成器８と音増幅器９に入力される。
【００１９】
音増幅器９は、第１種撮影誘導アナログ音１４”と第２種撮影誘導アナログ音１５”を増幅して増幅信号１８を生成する。増幅信号１８が入力されるスピーカ４は、第１種撮影誘導アナログ音１４”と第２種撮影誘導アナログ音１５”を被写体Ｍに対して適正音量で再生する。第１種撮影誘導アナログ音１４”は、撮影指示信号生成器８に送信される。その送信に第２種撮影誘導アナログ音１５”が含まれることは否定されない。撮影指示信号生成器８は、第１種撮影誘導アナログ音１４”を解析し、第１種撮影誘導アナログ音１４”に含まれる振幅、又は、周波数を抽出し、又は、その振幅と周波数とを抽出する。抽出される振幅又は抽出される周波数は、基準振幅又は基準周波数と比較される。抽出される振幅又は抽出される周波数が基準振幅又は基準周波数に一致するときには、又は、抽出される振幅又は抽出される周波数が基準振幅又は基準周波数に近似するときには、既述の撮影指示信号１１を出力する。カメラ５は、撮影指示信号１１を受信して同期的に又は同時的に撮影を実行する。ここで、同期的とは、撮影指示信号１１を受信した時刻から適正な時間が経過した後に遅延的にカメラ５が撮影を実行することを意味する。又は、撮影指示信号１１は、抽出される振幅又は抽出される周波数が基準振幅又は基準周波数に一致すると判断する時（一致信号が出力される時）、又は、抽出される振幅又は抽出される周波数が基準振幅又は基準周波数に近似すると判断する時（近似信号が出力される時）に遅延して撮影指示信号生成器８から出力される。このような遅延は、被写体Ｍの音に対する反応の遅延に対応する。
【００２０】
シャッタチャンスは、被写体Ｍの気分の変動過程の時間中に存在する。谷川のせせらぎ音を聞いて心が落ち着いた状態で鳥の鳴き声を聞くときに、人は生気に満ちて安らぎの表情を見せる。本発明による写真撮影装置は、そのようなシャッタチャンスを人工的に作り出すことができる。
【００２１】
図３は、本発明による写真撮影装置の他の実現態を示している。既述の実現態では、撮影指示信号１１は第１種特定誘導音１４’と第１種撮影誘導アナログ音１４”を介して間接的に作成されるが、本実現態では第１種特定誘導音１４’と第１種撮影誘導アナログ音１４”を介さずに直接的に作成される。
【００２２】
撮影誘導音１３の中からの適正な第１種撮影誘導音１４と第２種撮影誘導音１５の選択は、被写体Ｍの特性に基づいて撮影者又は被撮影者により判断され、又は、被写体Ｍの特性項目の入力によりＣＰＵ１６により自動的に実行される。被写体Ｍの特性項目としては、性別、年齢（例示：幼児）、動物種（例示：犬）、撮影目的（例示：結婚式）が例示される。
【００２３】
蓄音器１２の中のデジタル音波データの中から撮影指示信号を抽出する撮影指示信号生成器８は、デジタル音波データに対応するアナログ音波データに時系列に変換する際に、アナログ音波データがスピーカから出力される時系列（点）のうち撮影指示信号に対応する時系列部分の時刻点でカメラに撮影を指示するが、既述の遅延を持たせることは有意義である。時系列的に連続する第１種特定誘導音１４’の生成と時系列的に連続する第１種撮影誘導アナログ音１４”の撮影指示信号生成器８による分析とは、リアルタイムに概ね同時であり、撮影指示信号１１はこれに対応する第１種撮影誘導アナログ音１４”の一部分がスピーカ４から流される時点に概ね一致して生成され、又は、適正量で遅延して生成される。このように、撮影指示信号１１はスピーカ４から流される一連の撮影誘導音の一部分に同時的に又は遅延的に同期して生成される。
【００２４】
カメラ５とスピーカ４はボックス１に固定される。カメラ５のレンズは、ボックス１から露出している。レンズには、キャップが着脱自在に嵌められている。制御器はボックス１に内蔵されている。ボックス１は、カメラ５の筐体であり得る。このような場合には、本発明による写真撮影装置は音声発生つきカメラ又は音声発生つき携帯電話器といわれる。音声同期撮影の撮影指示信号１１は、フラッシュ光の発生の信号として兼用される。
【００２５】
本発明による写真撮影装置は、下記の態様でより有効に利用され得る。写真撮影装置に付随するコンピュータは、カメラにより撮影される写真を外部記憶媒体内蔵の記録装置を内蔵し、又は、そのような記録装置に接続されることにより、写真撮影者が撮影された写真を取得することができる。そのコンピュータは、更に、撮影される写真を印刷するためのプリンタに接続することにより、写真撮影者が撮影された写真を取得することができる。そのコンピュータがネットワークに接続されていれば、撮影される写真をそのネットワークを介してその写真データの送受信を可能にする。写真撮影装置は、カメラがパーソナルコンピュータに接続されていて、撮影される写真の写真データはそのパーソナルコンピュータの内部で画像処理され得る。
【図面の簡単な説明】
【００２６】
【図１】図１は、本発明による写真撮影装置の実現態を示す断面図である。
【図２】図２は、回路を示すブロック図である。
【図３】図３は、他の回路を示すブロック図である。
【符号の説明】
【００２７】
１…ボックス
２…制御器
４…スピーカ
５…カメラ
８…抽出器
１１…撮影指示信号
１２…蓄音器
１３…デジタル音波データ
【図１】
2005115095.tif 000003
【図２】
2005115095.tif 000004
【図３】
2005115095.tif 000005